(57)【要約】【課題】３回以上の多数回のキースイッチの操作を行うことなく、速度倍率を所望の値に設定可能とするときにも、リモートコントローラの電池の消耗の増加を防止する。【解決手段】早送り再生キー（早戻し再生キー）が２回連続して操作されたことを検出したときには（ステップＳ６）、再生手段におけるデジタル映像信号の早送り再生（早戻し再生）における速度を、早送り再生キー（早戻し再生キー）の２回連続した操作における操作の時間間隔に対応した速度に設定する（ステップＳ１０）。【選択図】  図１
2005057380.tif 000002
【特許請求の範囲】
【請求項１】
ＤＶＤの再生を行う再生手段と、
リモートコントローラに設けられた早送り再生キーと、
リモートコントローラに設けられた早戻し再生キーと、
早送り再生キーが操作されたときには再生手段におけるデジタル映像信号の再生の速度を早送り再生に対応した速度に設定し、早戻し再生キーが操作されたときには再生手段におけるデジタル映像信号の再生の速度を早戻し再生に対応した速度に設定する制御手段とを備えたＤＶＤ再生装置において、
早送り再生キーまたは早戻し再生キーが操作されたときには、操作されたときからの経過時間に対応して値が変化する速度倍率を再生された映像に重畳表示する倍率表示手段を備え、
倍率表示手段によって映像に重畳表示され、早送り再生キーまたは早戻し再生キーが操作されたときからの経過時間に対応して変化する速度倍率の変化の方向を、小さい値から大きい値に変化する方向と大きい値から小さい値に変化する方向とに切り換え可能にし、
制御手段は、
早送り再生キーが２回連続して操作されたことを検出したときには、再生手段におけるデジタル映像信号の早送り再生における速度を、早送り再生キーの前記２回連続した操作における２回目の操作時に倍率表示手段により重畳表示されていた速度倍率に対応した速度に設定し、
早戻し再生キーが２回連続して操作されたことを検出したときには、再生手段におけるデジタル映像信号の早戻し再生における速度を、早戻し再生キーの前記２回連続した操作における２回目の操作時に倍率表示手段により重畳表示されていた速度倍率に対応した速度に設定し、
且つ制御手段は、
早送り再生キーの１回目の操作を検出したときには、再生手段にデジタル映像信号の早送り再生を行わせるとともに前記早送り再生における速度を、倍率表示手段により映像に重畳表示された速度倍率に対応した速度に設定し、
早戻し再生キーの１回目の操作を検出したときには、再生手段にデジタル映像信号の早戻し再生を行わせるとともに前記早戻し再生における速度を、倍率表示手段により映像に重畳表示された速度倍率に対応した速度に設定することを特徴とするＤＶＤ再生装置。
【請求項２】
記録媒体に記録されたデジタル映像信号を再生する再生手段と、
リモートコントローラに設けられた早送り再生キーと、
リモートコントローラに設けられた早戻し再生キーと、
早送り再生キーが操作されたときには再生手段におけるデジタル映像信号の再生の速度を早送り再生に対応した速度に設定し、早戻し再生キーが操作されたときには再生手段におけるデジタル映像信号の再生の速度を早戻し再生に対応した速度に設定する制御手段とを備えた映像信号再生装置において、
制御手段は、
早送り再生キーが２回連続して操作されたことを検出したときには、再生手段におけるデジタル映像信号の早送り再生における速度を、早送り再生キーの前記２回連続した操作における操作の時間間隔に対応した速度に設定し、
早戻し再生キーが２回連続して操作されたことを検出したときには、再生手段におけるデジタル映像信号の早戻し再生における速度を、早戻し再生キーの前記２回連続した操作における操作の時間間隔に対応した速度に設定することを特徴とする映像信号再生装置。
【請求項３】
早送り再生キーまたは早戻し再生キーが操作されたときには、操作されたときからの経過時間に対応して値が変化する速度倍率を、再生された映像に重畳表示する倍率表示手段を備え、
制御手段は、
再生手段におけるデジタル映像信号の早送り再生における速度を、早送り再生キーの前記２回連続した操作における２回目の操作時に倍率表示手段により重畳表示された速度倍率に対応する速度に設定し、
再生手段におけるデジタル映像信号の早戻し再生における速度を、早戻し再生キーの前記２回連続した操作における２回目の操作時に倍率表示手段により重畳表示された速度倍率に対応する速度に設定することを特徴とする請求項２記載の映像信号再生装置。
【請求項４】
倍率表示手段により重畳表示され、早送り再生キーまたは早戻し再生キーが操作されたときからの経過時間に対応して変化する速度倍率の変化の方向を、小さい値から大きい値に変化する方向と大きい値から小さい値に変化する方向とに切り換え可能にしたことを特徴とする請求項３記載の映像信号再生装置。
【請求項５】
ＤＶＤの再生を行う再生手段と、
リモートコントローラに設けられた前方スロー再生キーと、
リモートコントローラに設けられた後方スロー再生キーと、
前方スロー再生キーが操作されたときには再生手段におけるデジタル映像信号の再生速度を前方スロー再生に対応した速度に設定し、後方スロー再生キーが操作されたときには再生手段におけるデジタル映像信号の再生速度を後方スロー再生に対応した速度に設定する制御手段とを備えたＤＶＤ再生装置において、
前方スロー再生キーまたは後方スロー再生キーが操作されたときには、操作されたときからの経過時間に対応して値が変化するスロー倍率を、再生された映像に重畳表示する倍率表示手段を備え、
倍率表示手段によって映像に重畳表示され、前方スロー再生キーまたは後方スロー再生キーが操作されたときからの経過時間に対応して変化するスロー倍率の変化の方向を、小さい値から大きい値に変化する方向と大きい値から小さい値に変化する方向とに切り換え可能にし、
制御手段は、
前方スロー再生キーが２回連続して操作されたことを検出したときには、再生手段におけるデジタル映像信号の前方スロー再生における速度を、前方スロー再生キーの前記２回連続した操作における２回目の操作時に倍率表示手段により映像に重畳表示されていたスロー倍率に対応した速度に設定し、
後方スロー再生キーが２回連続して操作されたことを検出したときには、再生手段におけるデジタル映像信号の後方スロー再生における速度を、後方スロー再生キーの前記２回連続した操作における２回目の操作時に倍率表示手段により映像に重畳表示されていたスロー倍率に対応した速度に設定し、
且つ制御手段は、
前方スロー再生キーの１回目の操作を検出したときには、再生手段にデジタル映像信号の前方スロー再生を行わせるとともに前記前方スロー再生における速度を、倍率表示手段により映像に重畳表示されたスロー倍率に対応した速度に設定し、
後方スロー再生キーの１回目の操作を検出したときには、再生手段にデジタル映像信号の後方スロー再生を行わせるとともに前記後方スロー再生における速度を、倍率表示手段により映像に重畳表示されたスロー倍率に対応した速度に設定することを特徴とするＤＶＤ再生装置。
【請求項６】
記録媒体に記録されたデジタル映像信号を再生する再生手段と、
リモートコントローラに設けられた前方スロー再生キーと、
リモートコントローラに設けられた後方スロー再生キーと、
前方スロー再生キーが操作されたときには再生手段におけるデジタル映像信号の再生の速度を前方スロー再生に対応した速度に設定し、後方スロー再生キーが操作されたときには再生手段におけるデジタル映像信号の再生の速度を後方スロー再生に対応した速度に設定する制御手段とを備えた映像信号再生装置において、
制御手段は、
前方スロー再生キーが２回連続して操作されたことを検出したときには、再生手段におけるデジタル映像信号の前方スロー再生における速度を、前方スロー再生キーの前記２回連続した操作における操作の時間間隔に対応した速度に設定し、
後方スロー再生キーが２回連続して操作されたことを検出したときには、再生手段におけるデジタル映像信号の後方スロー再生における速度を、後方スロー再生キーの前記２回連続の操作における操作の時間間隔に対応した速度に設定することを特徴とする映像信号再生装置。
【請求項７】
前方スロー再生キーまたは後方スロー再生キーが操作されたときには、操作されたときからの経過時間に対応して値が変化するスロー倍率を、再生された映像に重畳表示する倍率表示手段を備え、
制御手段は、
再生手段におけるデジタル映像信号の前方スロー再生における速度を、前方スロー再生キーの前記２回連続した操作における２回目の操作時に倍率表示手段により映像に重畳表示されたスロー倍率に対応した速度に設定し、
再生手段におけるデジタル映像信号の後方スロー再生における速度を、後方スロー再生キーの前記２回連続した操作における２回目の操作時に倍率表示手段により映像に重畳表示されたスロー倍率に対応した速度に設定することを特徴とする請求項６記載の映像信号再生装置。
【請求項８】
倍率表示手段により重畳表示され、前方スロー再生キーまたは後方スロー再生キーが操作されたときからの経過時間に対応して変化するスロー倍率の変化の方向を、小さい値から大きい値に変化する方向と大きい値から小さい値に変化する方向とに切り換え可能にしたことを特徴とする請求項７記載の映像信号再生装置。
【発明の詳細な説明】
【０００１】
【発明の属する技術分野】
本発明は、リモートコントローラのキースイッチを２回連続して操作するときの操作の時間間隔に応じて、早送り再生や早戻し再生における速度倍率、あるいは、前方スロー再生や後方スロー再生におけるスロー倍率を変えることができるＤＶＤ再生装置および映像信号再生装置に関するものである。
【０００２】
【従来の技術】
ＤＶＤ再生装置においては、通常の速度でもってＤＶＤを再生するばかりでなく、例えば、通常の速度の２倍、または８倍、または２５倍、または５０倍、あるいは１００倍等の速度でもって再生を行う早送り再生が可能となっている。また、前記した早送り再生の速度倍率については、早送り再生キーが操作される毎に、２倍、８倍、２５倍、５０倍、１００倍と変化するようになっている。従って、ユーザにとっては、早送り再生キーを必要とする回数だけ押下することにより、早送り再生時の速度の倍率を、望む倍率に設定することができる（第１の従来技術とする）。
【０００３】
また、以下に示す従来技術が提案されている（第２の従来技術とする）。すなわち、この技術においては、早送りボタンを押下し続けると、早送り再生の速度を段階的に速くすることができ、巻戻しボタンを押下し続けると、早戻し再生の速度を段階的に速くすることができるようになっている。また、早送り再生中に巻戻しボタンを操作すると、早送り再生の速度を遅くすることができるとともに、通常再生の速度に戻すこともでき、早戻し再生中に早送りボタンを操作すると、早戻し再生の速度を遅くすることができるとともに、通常側に戻すことができるようになっている（例えば、特許文献１参照）。
【０００４】
【特許文献１】
特開２００２−１８５８８９号公報（第００６６−００６７段落）
【０００５】
【発明が解決しようとする課題】
しかしながら第１の従来技術を用いた場合には、以下に示す問題が生じていた。すなわち、早送り再生時を例にすると、早送り再生の速度の倍率は、早送り再生キーを操作する毎に、２倍、８倍、２５倍、５０倍、１００倍に変化する。従って、早送り再生の速度の倍率を１００倍に設定しようとするときでは、早送り再生キーを５回操作しなければならないので、キー操作が煩わしいものとなる。また、早送り再生キーの操作回数が多くなるため、早送り再生キーの劣化が、その他のキースイッチに比して速くなる。
【０００６】
第２の従来技術は、早送り再生キーあるいは早戻し再生キーの押下を続けるのみで、早送り再生や早戻し再生の速度の倍率を段階的に速くすることができるので、上記した第１の従来技術における問題は解決されることになる。しかし、早送り再生キーや早戻し再生キーは、一般には、使い勝手の良さから、リモートコントローラに設けられる。このため、早送り再生キーや早戻し再生キーを押下し続ける場合では、押下し続ける期間において、赤外線信号が送信され続けることとなる。その結果、リモートコントローラの電池の消耗を速めることになり、電池の寿命が短くなるという問題を生じていた。
【０００７】
本発明は上記課題を解決するため創案されたものであって、その目的は、３回以上の多数回のキースイッチの操作を行うことなく、速度倍率を所望の値に設定可能とするときにも、リモートコントローラの電池の消耗の増加を防止することのでき、且つ、２回目にキースイッチを操作するタイミングの把握を容易にすることのでき、且つ、短い時間間隔の２回のキースイッチの操作でもって、速度倍率を通常時に多用する値に設定することのでき、且つ、１回目のキースイッチの操作によって、早送り再生や早戻し再生に移行させることのできるＤＶＤ再生装置を提供することにある。
【０００８】
また本発明の目的は、早送り再生や早戻し再生の速度倍率を、早送り再生キーや早戻し再生キーの連続した２回の操作における操作の時間間隔に対応した倍率とすることにより、３回以上の多数回のキースイッチの操作を行うことなく、速度倍率を所望の値に設定可能とするときにも、リモートコントローラの電池の消耗の増加を防止することのできる映像信号再生装置を提供することにある。
【０００９】
また、上記目的に加え、２回の連続したキースイッチの操作の時間間隔に対応した速度倍率を映像に重畳表示することにより、２回目にキースイッチを操作するタイミングの把握を容易にすることのできる映像信号再生装置を提供することにある。
【００１０】
また、上記目的に加え、速度倍率の変化の方向を、倍率が小さい側から大きい側に変化する方向と、大きい側から小さい側に変化する方向とに切り換え可能とすることにより、短い時間間隔の２回のキースイッチの操作でもって、速度倍率を通常時に多用する値に設定することのできる映像信号再生装置を提供することにある。
【００１１】
また本発明の目的は、３回以上の多数回のキースイッチの操作を行うことなく、スロー倍率を所望の値に設定可能とするときにも、リモートコントローラの電池の消耗の増加を防止することのでき、且つ、２回目にキースイッチを操作するタイミングの把握を容易にすることのでき、且つ、短い時間間隔の２回のキースイッチの操作でもって、スロー倍率を通常時に多用する値に設定することのでき、且つ、１回目のキースイッチの操作によって、前方スロー再生や後方スロー再生に移行させることのできるＤＶＤ再生装置を提供することにある。
【００１２】
また本発明の目的は、前方スロー再生や後方スロー再生のスロー倍率を、前方スロー再生キーや後方スロー再生キーの連続した２回の操作における操作の時間間隔に対応した倍率とすることにより、３回以上の多数回のキースイッチの操作を行うことなく、スロー倍率を所望の値に設定可能とするときにも、リモートコントローラの電池の消耗が増加を防止することのできる映像信号再生装置を提供することにある。
【００１３】
また、上記目的に加え、２回の連続したキースイッチの操作の時間間隔に対応したスロー倍率を映像に重畳表示することにより、２回目にキースイッチを操作するタイミングの把握を容易にすることのできる映像信号再生装置を提供することにある。
【００１４】
また、上記目的に加え、スロー倍率の変化の方向を、倍率が小さい側から大きい側に変化する方向と、大きい側から小さい側に変化する方向とに切り換え可能とすることにより、短い時間間隔の２回のキースイッチの操作でもって、スロー倍率を通常時に多用する値に設定することのできる映像信号再生装置を提供することにある。
【００１５】
【課題を解決するための手段】
上記課題を解決するため本発明に係るＤＶＤ再生装置は、ＤＶＤの再生を行う再生手段と、リモートコントローラに設けられた早送り再生キーと、リモートコントローラに設けられた早戻し再生キーと、早送り再生キーが操作されたときには再生手段におけるデジタル映像信号の再生の速度を早送り再生に対応した速度に設定し、早戻し再生キーが操作されたときには再生手段におけるデジタル映像信号の再生の速度を早戻し再生に対応した速度に設定する制御手段とを備えたＤＶＤ再生装置に適用している。そして、早送り再生キーまたは早戻し再生キーが操作されたときには、操作されたときからの経過時間に対応して値が変化する速度倍率を再生された映像に重畳表示する倍率表示手段を備え、倍率表示手段によって映像に重畳表示され、早送り再生キーまたは早戻し再生キーが操作されたときからの経過時間に対応して変化する速度倍率の変化の方向を、小さい値から大きい値に変化する方向と大きい値から小さい値に変化する方向とに切り換え可能にし、制御手段は、早送り再生キーが２回連続して操作されたことを検出したときには、再生手段におけるデジタル映像信号の早送り再生における速度を、早送り再生キーの前記２回連続した操作における２回目の操作時に倍率表示手段により重畳表示されていた速度倍率に対応した速度に設定し、早戻し再生キーが２回連続して操作されたことを検出したときには、再生手段におけるデジタル映像信号の早戻し再生における速度を、早戻し再生キーの前記２回連続した操作における２回目の操作時に倍率表示手段により重畳表示されていた速度倍率に対応した速度に設定し、且つ制御手段は、早送り再生キーの１回目の操作を検出したときには、再生手段にデジタル映像信号の早送り再生を行わせるとともに前記早送り再生における速度を、倍率表示手段により映像に重畳表示された速度倍率に対応した速度に設定し、早戻し再生キーの１回目の操作を検出したときには、再生手段にデジタル映像信号の早戻し再生を行わせるとともに前記早戻し再生における速度を、倍率表示手段により映像に重畳表示された速度倍率に対応した速度に設定するようになっている。
【００１６】
すなわち、早送り再生キーあるいは早戻し再生キーに対し、速度倍率に対応する時間間隔でもって、２回連続して押下するのみで、速度倍率を所望の値に設定することができる。従って、速度倍率を所望の値に設定するに際し、キースイッチが押下されている時間の合計値は短いものとなる。また、早送り再生キーや早戻し再生キーを１回目に操作したときには、時間の経過に対応して値が変化する速度倍率が映像に重畳表示される。従って、早送り再生キーや早戻し再生キーを２回目に操作するタイミングを容易に把握することができる。また、速度倍率の変化の方向を、利用率の高い速度倍率が早いタイミングにおいて得られる方向に設定すると、短い時間間隔の２回のキースイッチの操作でもって、速度倍率を所望の値に設定することができる。また、１回目のキースイッチの操作によって、早送り再生や早戻し再生に移行する。
【００１７】
また本発明に係る映像信号再生装置は、記録媒体に記録されたデジタル映像信号を再生する再生手段と、リモートコントローラに設けられた早送り再生キーと、リモートコントローラに設けられた早戻し再生キーと、早送り再生キーが操作されたときには再生手段におけるデジタル映像信号の再生の速度を早送り再生に対応した速度に設定し、早戻し再生キーが操作されたときには再生手段におけるデジタル映像信号の再生の速度を早戻し再生に対応した速度に設定する制御手段とを備えた映像信号再生装置に適用している。そして、制御手段は、早送り再生キーが２回連続して操作されたことを検出したときには、再生手段におけるデジタル映像信号の早送り再生における速度を、早送り再生キーの前記２回連続した操作における操作の時間間隔に対応した速度に設定し、早戻し再生キーが２回連続して操作されたことを検出したときには、再生手段におけるデジタル映像信号の早戻し再生における速度を、早戻し再生キーの前記２回連続した操作における操作の時間間隔に対応した速度に設定するようになっている。
【００１８】
すなわち、早送り再生キーあるいは早戻し再生キーに対し、速度倍率に対応する時間間隔でもって、２回連続して押下するのみで、速度倍率を所望の値に設定することができる。従って、速度倍率を所望の値に設定するに際し、キースイッチが押下されている時間の合計値は短いものとなる。
【００１９】
また上記構成に加え、早送り再生キーまたは早戻し再生キーが操作されたときには、操作されたときからの経過時間に対応して値が変化する速度倍率を、再生された映像に重畳表示する倍率表示手段を備え、制御手段は、再生手段におけるデジタル映像信号の早送り再生における速度を、早送り再生キーの前記２回連続した操作における２回目の操作時に倍率表示手段により重畳表示された速度倍率に対応する速度に設定し、再生手段におけるデジタル映像信号の早戻し再生における速度を、早戻し再生キーの前記２回連続した操作における２回目の操作時に倍率表示手段により重畳表示された速度倍率に対応する速度に設定するようになっている。
【００２０】
すなわち、早送り再生キーや早戻し再生キーを１回目に操作したときには、時間の経過に対応して値が変化する速度倍率が映像に重畳表示される。従って、早送り再生キーや早戻し再生キーを２回目に操作するタイミングを容易に把握することができる。
【００２１】
また上記構成に加え、倍率表示手段により重畳表示され、早送り再生キーまたは早戻し再生キーが操作されたときからの経過時間に対応して変化する速度倍率の変化の方向を、小さい値から大きい値に変化する方向と大きい値から小さい値に変化する方向とに切り換え可能にしている。すなわち、速度倍率の変化の方向を、利用率の高い速度倍率が早いタイミングにおいて得られる方向に設定すると、短い時間間隔の２回のキースイッチの操作でもって、速度倍率を所望の値に設定することができる。
【００２２】
また本発明に係るＤＶＤ再生装置は、ＤＶＤの再生を行う再生手段と、リモートコントローラに設けられた前方スロー再生キーと、リモートコントローラに設けられた後方スロー再生キーと、前方スロー再生キーが操作されたときには再生手段におけるデジタル映像信号の再生速度を前方スロー再生に対応した速度に設定し、後方スロー再生キーが操作されたときには再生手段におけるデジタル映像信号の再生速度を後方スロー再生に対応した速度に設定する制御手段とを備えたＤＶＤ再生装置に適用している。そして、前方スロー再生キーまたは後方スロー再生キーが操作されたときには、操作されたときからの経過時間に対応して値が変化するスロー倍率を、再生された映像に重畳表示する倍率表示手段を備え、倍率表示手段によって映像に重畳表示され、前方スロー再生キーまたは後方スロー再生キーが操作されたときからの経過時間に対応して変化するスロー倍率の変化の方向を、小さい値から大きい値に変化する方向と大きい値から小さい値に変化する方向とに切り換え可能にし、制御手段は、前方スロー再生キーが２回連続して操作されたことを検出したときには、再生手段におけるデジタル映像信号の前方スロー再生における速度を、前方スロー再生キーの前記２回連続した操作における２回目の操作時に倍率表示手段により映像に重畳表示されていたスロー倍率に対応した速度に設定し、後方スロー再生キーが２回連続して操作されたことを検出したときには、再生手段におけるデジタル映像信号の後方スロー再生における速度を、後方スロー再生キーの前記２回連続した操作における２回目の操作時に倍率表示手段により映像に重畳表示されていたスロー倍率に対応した速度に設定し、且つ制御手段は、前方スロー再生キーの１回目の操作を検出したときには、再生手段にデジタル映像信号の前方スロー再生を行わせるとともに前記前方スロー再生における速度を、倍率表示手段により映像に重畳表示されたスロー倍率に対応した速度に設定し、後方スロー再生キーの１回目の操作を検出したときには、再生手段にデジタル映像信号の後方スロー再生を行わせるとともに前記後方スロー再生における速度を、倍率表示手段により映像に重畳表示されたスロー倍率に対応した速度に設定するようになっている。
【００２３】
すなわち、前方スロー再生キーや後方スロー再生キーに対し、スロー倍率に対応する時間間隔でもって、２回連続して押下するのみで、所望のスロー倍率に設定することができる。従って、所望のスロー倍率に設定するに際し、キースイッチが押下されている時間の合計値は短いものとなる。また、前方スロー再生キーや後方スロー再生キーを１回目に操作したときには、時間の経過に対応して値が変化するスロー倍率が映像に重畳表示される。従って、前方スロー再生キーや後方スロー再生キーを２回目に操作するタイミングを容易に把握することができる。また、１回目のキースイッチの操作によって、早送り再生や早戻し再生に移行する。
【００２４】
また本発明に係る映像信号再生装置は、記録媒体に記録されたデジタル映像信号を再生する再生手段と、リモートコントローラに設けられた前方スロー再生キーと、リモートコントローラに設けられた後方スロー再生キーと、前方スロー再生キーが操作されたときには再生手段におけるデジタル映像信号の再生の速度を前方スロー再生に対応した速度に設定し、後方スロー再生キーが操作されたときには再生手段におけるデジタル映像信号の再生の速度を後方スロー再生に対応した速度に設定する制御手段とを備えた映像信号再生装置に適用している。そして、制御手段は、前方スロー再生キーが２回連続して操作されたことを検出したときには、再生手段におけるデジタル映像信号の前方スロー再生における速度を、前方スロー再生キーの前記２回連続した操作における操作の時間間隔に対応した速度に設定し、後方スロー再生キーが２回連続して操作されたことを検出したときには、再生手段におけるデジタル映像信号の後方スロー再生における速度を、後方スロー再生キーの前記２回連続の操作における操作の時間間隔に対応した速度に設定するようになっている。
【００２５】
すなわち、前方スロー再生キーや後方スロー再生キーに対し、スロー倍率に対応する時間間隔でもって、２回連続して押下するのみで、所望のスロー倍率に設定することができる。従って、所望のスロー倍率に設定するに際し、キースイッチが押下されている時間の合計値は短いものとなる。
【００２６】
また上記構成に加え、前方スロー再生キーまたは後方スロー再生キーが操作されたときには、操作されたときからの経過時間に対応して値が変化するスロー倍率を、再生された映像に重畳表示する倍率表示手段を備え、制御手段は、再生手段におけるデジタル映像信号の前方スロー再生における速度を、前方スロー再生キーの前記２回連続した操作における２回目の操作時に倍率表示手段により映像に重畳表示されたスロー倍率に対応した速度に設定し、再生手段におけるデジタル映像信号の後方スロー再生における速度を、後方スロー再生キーの前記２回連続した操作における２回目の操作時に倍率表示手段により映像に重畳表示されたスロー倍率に対応した速度に設定するようになっている。７
【００２７】
すなわち、前方スロー再生キーや後方スロー再生キーを１回目に操作したときには、時間の経過に対応して値が変化するスロー倍率が映像に重畳表示される。従って、前方スロー再生キーや後方スロー再生キーを２回目に操作するタイミングを容易に把握することができる。
【００２８】
また上記構成に加え、倍率表示手段により重畳表示され、前方スロー再生キーまたは後方スロー再生キーが操作されたときからの経過時間に対応して変化するスロー倍率の変化の方向を、小さい値から大きい値に変化する方向と大きい値から小さい値に変化する方向とに切り換え可能にしている。すなわち、スロー倍率の変化の方向を、利用率の高いスロー倍率が早いタイミングにおいて得られる方向に設定すると、短い時間間隔の２回のキースイッチの操作でもって、所望のスロー倍率に設定することができる。
【００２９】
【発明の実施の形態】
以下に本発明の実施例の形態を、図面を参照しつつ説明する。
図５は、本発明に係る映像信号再生装置の一実施形態の電気的構成を示すブロック線図であり、具体的には、ＤＶＤ再生装置を示している。
【００３０】
再生手段１２は、記録媒体であるＤＶＤ１１に記録されたデジタル映像信号を再生して得られたアナログ映像信号を、出力端子３を介して、テレビ受像機２に送出する。このため、ピックアップ、ピックアップをトラックに追従させるためのサーボ回路、ピックアップより出力された信号からデジタル信号を復調する復調回路、復調されたデジタル信号を伸長して映像信号を復調するデコード回路、等を備えている（これらについては図示が省略されている）。また、再生された映像に文字等の情報を重畳表示するためのオンスクリーンディスプレイ回路（以下では、ＯＳＤ回路と称する）１７を備えている。
【００３１】
入力部１４は、装置本体の前面パネルに設けられた複数のキースイッチ（図示を省略）や、リモートコントローラ１５から送信される赤外線信号を受信する受信ユニット（図示を省略）等からなり、ユーザの操作が入力される。また、入力された操作を制御手段１８に知らせる。表示部１６は、装置本体の前面パネルに設けられた数字表示器等からなり、再生中のチャプタの番号や、再生位置を示す時間情報等が表示される。
【００３２】
リモートコントローラ１５は、数字キーや電源キー（図示を省略）を備えており、ユーザからの操作が入力される。また、図６に示したように、メニュー画面の表示に使用される設定キー１５１を備えている。また、メニューが表示されたときに、項目の選択や値の指示等のために使用するキースイッチである、上下左右の４方向キーや決定キー（１５９により示す）を備えている。また、再生を開始させるときに操作される再生キー１５４、再生を一時停止させる一時停止キー１５５、動作を停止状態に移行させる停止キー１５６を備えている。
【００３３】
また、早送り再生への移行が可能となる状態（通常再生が行われている状態）では早送り再生キーとなり、前方スロー再生への移行が可能となる状態（再生の一時停止状態）では前方スロー再生キーとなる前方向キー１５３を備えている。また、早戻し再生への移行が可能となる状態（通常再生が行われている状態）では早戻し再生キーとなり、後方スロー再生への移行が可能となる状態（再生の一時停止状態）では後方スロー再生キーとなる後方向キー１５２を備えている。
【００３４】
倍率表示手段１９は、マイクロコンピュータ１３の機能の一部として構成されたブロックとなっている。そして、再生状態において前方向キー１５３（早送り再生キー）または後方向キー１５２（早戻し再生キー）が操作されたときには、操作されたときからの経過時間に対応して値が変化する速度倍率を、ＯＳＤ回路１７を用いて、再生された映像に重畳表示する。また、再生の一時停止状態において、前方向キー１５３（前方スロー再生キー）または後方向キー１５２（後方スロー再生キー）が操作されたときには、操作されたときからの経過時間に対応して値が変化するスロー倍率を、ＯＳＤ回路１７を用いて、再生された映像に重畳表示する。
【００３５】
なお、倍率表示手段１９によって映像に重畳表示される速度倍率（早送り再生時および早戻し再生時の倍率）は、２倍、８倍、２５倍、１００倍の４種となっている。そして、倍率の変化の方向については、２倍、８倍、２５倍、１００倍と変化する倍率増加モードと、１００倍、２５倍、８倍、２倍と変化する倍率減少モードとが設けられている。このため、ユーザは、この２種のモードから、テレビ受像機２の画面２０１に表示されるメニュー画面を参照しつつ、上下左右の４方向キーや決定キー（１５９）を用いて、好みのモードを選択することが可能になっている。
【００３６】
また、倍率表示手段１９により映像に重畳表示されるスロー倍率（前方スロー再生時および後方スロー再生時の倍率）は、１／２倍、１／４倍、１／８倍、１／３２倍の４種となっている。そして、倍率の変化の方向については、１／２倍、１／４倍、１／８倍、１／３２倍と変化するスロー倍率増加モードと、１／３２倍、１／８倍、１／４倍、１／２倍と変化するスロー倍率減少モードとが設けられている。このため、ユーザは、この２種のモードから、テレビ受像機２の画面２０１に表示されるメニュー画面を参照しつつ、上下左右の４方向キーや決定キー（１５９）を用いて、好みのモードを選択することが可能になっている。
【００３７】
制御手段１８は、マイクロコンピュータ１３の機能の一部として構成されており、ＤＶＤ再生装置としての主要動作を制御する。すなわち、リモートコントローラ１５に入力されたユーザの指示に従い、ＤＶＤ１１の再生、再生の一時停止、再生停止、等を行うため、再生手段１２の動作を制御する。
【００３８】
また、制御手段１８は、再生状態において前方向キー１５３（早送り再生キー）が２回連続して操作されたことを検出したときには、再生手段１２におけるデジタル映像信号の早送り再生における速度を、前方向キー１５３の連続した２回の操作における操作の時間間隔に対応した速度に設定する。また、再生状態において、後方向キー１５２（早戻し再生キー）が２回連続して操作されたことを検出したときには、再生手段１２におけるデジタル映像信号の早戻し再生における速度を、後方向キー１５２の連続した２回の操作における操作の時間間隔に対応した速度に設定する。
【００３９】
詳細には、制御手段１８は、再生手段１２における早送り再生の速度を、前方向キー１５３（早送り再生キー）が２回目に操作されたときに、倍率表示手段１９により映像に重畳表示された速度倍率（２回の操作の時間間隔によって変化する）に対応した速度に設定する。また、再生手段１２における早戻し再生の速度を、後方向キー１５２（早戻し再生キー）が２回目に操作されたときに、倍率表示手段１９により映像に重畳表示された速度倍率（２回の操作の時間間隔によって変化する）に対応した速度に設定する。
【００４０】
また、制御手段１８は、再生の一時停止状態において前方向キー１５３（前方スロー再生キー）が２回連続して操作されたことを検出したときには、再生手段１２におけるデジタル映像信号の前方スロー再生における速度を、前方向キー１５３の２回連続した操作における操作の時間間隔に対応した速度に設定する。また、再生の一時停止状態において、後方向キー１５２（後方スロー再生キー）が２回連続して操作されたことを検出したときには、再生手段１２におけるデジタル映像信号の後方スロー再生における速度を、後方向キー１５２の２回連続した操作における操作の時間間隔に対応した速度に設定する。
【００４１】
詳細には、制御手段１８は、再生手段１２における前方スロー再生の速度を、前方向キー１５３（前方スロー再生キー）が２回目に操作されたときに、倍率表示手段１９により映像に重畳表示されたスロー倍率（２回の操作の時間間隔によって変化する）に対応した速度に設定する。また、再生手段１２における後方スロー再生の速度を、後方向キー１５２（後方スロー再生キー）が２回目に操作されたときに、倍率表示手段１９により映像に重畳表示されたスロー倍率（２回の操作の時間間隔によって変化する）に対応した速度に設定する。
【００４２】
また、制御手段１８は、再生状態において、前方向キー１５３（早送り再生キー）の１回目の操作を検出したときには、再生手段１２に早送り再生を行わせる。且つ、早送り再生の速度を、倍率表示手段１９により映像に重畳表示された速度倍率に対応した速度に設定する。また、再生状態において、後方向キー１５２（早戻し再生キー）の１回目の操作を検出したときには、再生手段１２に早戻し再生を行わせる。且つ、早戻し再生の速度を、倍率表示手段１９により映像に重畳表示された速度倍率に対応した速度に設定する。
【００４３】
また、制御手段１８は、一時停止状態において、前方向キー１５３（前方スロー再生キー）の１回目の操作を検出したときには、再生手段１２に前方スロー再生を行わせる。且つ、前方スロー再生の速度を、倍率表示手段１９により映像に重畳表示されたスロー倍率に対応した速度に設定する。また、一時停止状態において、後方向キー１５２（後方スロー再生キー）の１回目の操作を検出したときには、再生手段１２に後方スロー再生を行わせる。且つ、後方スロー再生の速度を、倍率表示手段１９により映像に重畳表示された速度倍率に対応した速度に設定する。
【００４４】
図１は、速度倍率の変化が倍率増加モードに設定された状態において、通常再生となっているときに、前方向キー１５３（早送り再生キー）を操作した場合の実施形態の主要動作を示すフローチャートである。必要に応じて同図を参照しつつ、実施形態の動作を説明する。
【００４５】
速度倍率の変化が倍率増加モードに設定された状態において、再生キー１５４が操作されると、制御手段１８は、再生手段１２を制御することにより、ＤＶＤ１１の通常再生を行う。そして後、制御手段１８は、前方向キー１５３（早送り再生キーであり、図１では、ＦＦキーとして示されている）が操作されたかどうかを調べる。前方向キー１５３が操作されない場合では、通常再生が継続される（ステップＳ１，Ｓ２）。
【００４６】
前方向キー１５３が操作されたことを検出すると、倍率表示手段１９は、テレビ受像機２の画面２０１の所定のエリア２０２に、早送り再生における速度倍率の最小値である２倍を重畳表示する（ステップＳ３）。一方、制御手段１８は、再生手段１２に、２倍の速度でもっての早送り再生を行わせる（ステップＳ４）。また、０．５秒の計時動作を開始する（ステップＳ５）。そして後、０．５秒が経過したかどうか、あるいは、前方向キー１５３が操作されたかどうかを調べるループ動作に移行する（ステップＳ６，Ｓ７）。
【００４７】
上記ループ動作を行っているとき、前方向キー１５３が操作されることなく、０．５秒が経過したときには、倍率表示手段１９は、エリア２０２に表示していた速度倍率が、最大の１００倍になっていたかどうかを調べた後、エリア２０２に表示していた速度倍率の値である『２倍』を、新しい値である『８倍』に変更する（ステップＳ８，Ｓ９）。そして後、ステップＳ５に動作を移行し、０．５秒の計時を開始する。従って、前方向キー１５３を操作しない場合、以後では、０．５秒が経過する毎に、エリア２０２に表示される速度倍率は、『８倍』から、『２５倍』、『１００倍』と変化する。
【００４８】
そして、エリア２０２に速度倍率の『１００倍』を表示した状態において、０．５秒が経過したときには、動作は、ステップＳ８からステップＳ１１に移行し、エリア２０２における速度倍率の表示が停止される。その結果、再生手段１２においては、ステップＳ４において開始された２倍の速度倍率による早送り再生が継続される。つまり、再生状態において前方向キー１５３を一度だけ操作した場合では、最小の速度倍率による早送り再生が行われることになる。
【００４９】
一方、１回目に前方向キー１５３を操作した後、０．５秒〜１秒の間に前方向キー１５３を再び操作すると、この操作は、２回の連続した操作のうちの２回目の操作であると判定される。このため、動作は、ステップＳ６からステップＳ１０に移行する。また、このときでは、エリア２０２には、速度倍率として『８倍』が表示されている。このため、制御手段１８は、ステップＳ１０となったときには、再生手段１２に、８倍の速度倍率による早送り再生を行わせる。そして後には、エリア２０２における速度倍率の表示が停止される。その結果、以後では、８倍の速度倍率による早送り再生が継続されることになる。
【００５０】
一方、１秒〜１．５秒の間に前方向キー１５３を２回目に操作したときでは、エリア２０２には、速度倍率として『２５倍』が表示されているので、制御手段１８は、再生手段１２に、２５倍の速度倍率による早送り再生を行わせる。また、１．５秒〜２秒の間に前方向キー１５３を２回目に操作したときでは、エリア２０２には、速度倍率として『１００倍』が表示されているので、制御手段１８は、再生手段１２に、１００倍の速度倍率による早送り再生を行わせる。
【００５１】
しかし、２秒より多くの時間が経過した後では、動作は、ステップＳ８からステップＳ１１に移行し、エリア２０２における速度倍率の表示が停止されている。このため、２秒より多くの時間が経過したときに、前方向キー１５３を２回目に操作すると、このときの前方向キー１５３の操作は、前方向キー１５３の２回の連続した操作のうちの２回目の操作であるとは判定されない。
【００５２】
なお、この操作に対応する動作については、本願発明とは直接の関係がないので、詳細な説明を省略するが、この操作を無視する構成（２倍の速度倍率による早送り再生を継続する構成）、あるいは、ステップＳ３に移行させる構成（２倍の速度倍率による早送り再生を継続するとともに、エリア２０２に速度倍率を表示し、以後、０．５秒が経過する毎に、速度倍率を変更する構成）、等とすることができる。
【００５３】
なお、速度倍率の変化が倍率増加モードに設定されており、再生状態において、後方向キー１５２（早戻し再生キー）が操作された場合の動作は、上記において説明した動作と略同一となるので、同一部分についての説明を省略し、異なる部分についてのみ動作説明を行う。
【００５４】
ステップＳ２における判定は、後方向キー１５２が操作されたかどうかの判定となる。また、ステップＳ４における動作は、速度倍率が２倍の早戻し再生となる。従って、通常再生の状態において後方向キー１５２を操作すると、速度倍率が２倍であることがエリア２０２に表示された（ステップＳ３）後、速度倍率を２倍とする早戻し再生が行われる（ステップＳ４）。また、ステップＳ６においては、後方向キー１５２が操作されたかどうかが調べられる。また、ステップＳ１０における動作は、エリア２０２に表示された速度倍率による早戻し再生となる。従って、２回目に後方向キー１５２を操作するタイミングに対応して、早戻し再生における速度倍率が変化することになる。
【００５５】
図２は、速度倍率の変化が倍率減少モードに設定された状態において、通常再生となっているときに、前方向キー１５３（早送り再生キー）を操作した場合の実施形態の主要動作を示すフローチャートである。なお、図２に示すフローチャートは、図１におけるステップＳ３，Ｓ４，Ｓ８，Ｓ９の動作を、ステップＳ２３，Ｓ２４，Ｓ２８，Ｓ２９に変更したフローチャートとなっている。このため、図１のフローチャートと同一となるステップには、図１における符号と同一符号を付与している。
【００５６】
速度倍率の変化が倍率減少モードに設定された状態において、再生キー１５４が操作されると、制御手段１８は、再生手段１２を制御することにより、ＤＶＤ１１の通常再生を行う。そして後、制御手段１８は、前方向キー１５３（早送り再生キーであり、図２では、ＦＦキーとして示されている）が操作されたかどうかを調べる。前方向キー１５３が操作されない場合では、通常再生が継続される（ステップＳ１，Ｓ２）。
【００５７】
前方向キー１５３が操作されたことを検出すると、倍率表示手段１９は、テレビ受像機２の画面２０１の所定のエリア２０２に、早送り再生における速度倍率の最大値である１００倍を重畳表示する（ステップＳ２３）。一方、制御手段１８は、再生手段１２に、１００倍の速度でもっての早送り再生を行わせる（ステップＳ２４）。また、０．５秒の計時動作を開始する（ステップＳ５）。そして後、０．５秒が経過したかどうか、あるいは、前方向キー１５３が操作されたかどうかを調べるループ動作に移行する（ステップＳ６，Ｓ７）。
【００５８】
上記ループ動作を行っているとき、前方向キー１５３が操作されることなく、０．５秒が経過したときには、倍率表示手段１９は、エリア２０２に表示していた速度倍率が、最小の２倍になっていたかどうかを調べた後、エリア２０２に表示していた速度倍率の値である『１００倍』を、新しい値である『２５倍』に変更する（ステップＳ２８，Ｓ２９）。そして後、ステップＳ５に動作を移行し、０．５秒の計時を開始する。従って、前方向キー１５３を操作しない場合、以後では、０．５秒が経過する毎に、エリア２０２に表示される速度倍率は、『２５倍』から、『８倍』、『２倍』と変化する。
【００５９】
そして、エリア２０２に速度倍率の『２倍』を表示した状態において、０．５秒が経過したときには、動作は、ステップＳ２８からステップＳ１１に移行し、エリア２０２における速度倍率の表示が停止される。その結果、再生手段１２においては、ステップＳ２４において開始された１００倍の速度倍率による早送り再生が継続されることになる。つまり、再生状態において前方向キー１５３を一度だけ操作した場合では、最大の速度倍率による早送り再生が行われることになる。
【００６０】
一方、１回目に前方向キー１５３を操作した後、０．５秒〜１秒の間に前方向キー１５３を再び操作すると、この操作は、２回の連続した操作のうちの２回目の操作であると判定される。このため、動作は、ステップＳ６からステップＳ１０に移行する。また、このときでは、エリア２０２には、速度倍率として『２５倍』が表示されている。このため、制御手段１８は、ステップＳ１０となったときには、再生手段１２に、２５倍の速度倍率による早送り再生を行わせる。そして後には、エリア２０２における速度倍率の表示が停止される。その結果、以後では、２５倍の速度倍率による早送り再生が継続されることになる。
【００６１】
一方、１秒〜１．５秒の間に前方向キー１５３を２回目に操作したときでは、エリア２０２には、速度倍率として『８倍』が表示されているので、制御手段１８は、再生手段１２に、８倍の速度倍率による早送り再生を行わせる。また、１．５秒〜２秒の間に前方向キー１５３を２回目に操作したときでは、エリア２０２には、速度倍率として『２倍』が表示されているので、制御手段１８は、再生手段１２に、２倍の速度倍率による早送り再生を行わせる。
【００６２】
しかし、２秒より多くの時間が経過した後では、動作は、ステップＳ２８からステップＳ１１に移行し、エリア２０２における速度倍率の表示が停止されている。このため、２秒より多くの時間が経過したときに、前方向キー１５３を２回目に操作すると、このときの前方向キー１５３の操作は、前方向キー１５３の２回の連続した操作のうちの２回目の操作であるとは判定されない。
【００６３】
なお、この操作に対応する動作については、本願発明とは直接の関係がないので、詳細な説明を省略するが、この操作を無視する構成（１００倍の速度倍率による早送り再生を継続する構成）、あるいは、ステップＳ２３に移行させる構成（１００倍の速度倍率による早送り再生を継続するとともに、エリア２０２に速度倍率を表示し、以後、０．５秒が経過する毎に、速度倍率を変更する構成）、等とすることができる。
【００６４】
なお、速度倍率の変化が倍率減少モードに設定されており、再生状態において、後方向キー１５２（早戻し再生キー）が操作された場合の動作は、上記において説明した動作と略同一となるので、同一部分についての説明を省略し、異なる部分についてのみ動作説明を行う。
【００６５】
ステップＳ２における判定は、後方向キー１５２が操作されたかどうかの判定となる。また、ステップＳ２４における動作は、速度倍率が１００倍の早戻し再生となる。従って、通常再生の状態において後方向キー１５２を操作すると、速度倍率が１００倍であることがエリア２０２に表示された（ステップＳ３）後、速度倍率を１００倍とする早戻し再生が行われる（ステップＳ４）。また、ステップＳ６においては、後方向キー１５２が操作されたかどうかが調べられる。また、ステップＳ１０における動作は、エリア２０２に表示された速度倍率による早戻し再生となる。従って、２回目に後方向キー１５２を操作するタイミングに対応して、早戻し再生における速度倍率が変化することになる。
【００６６】
図３は、スロー倍率が１／２倍、１／４倍、１／８倍、１／３２倍と変化するスロー倍率増加モードに設定された状態において、再生の一時停止状態となっているときに、前方向キー１５３（前方スロー再生キー）を操作した場合の実施形態の主要動作を示すフローチャートである。必要に応じて同図を参照しつつ、実施形態の動作を説明する。なお、以下における説明では、スロー倍率が１／２倍から１／３２倍の方向に向かって変化するとき、スロー倍率が増加すると称する。また、１／２倍のスロー倍率を、スロー倍率の最小値と称し、１／３２倍のスロー倍率を、スロー倍率の最大値と称する。
【００６７】
いま、スロー倍率の変化の方向がスロー倍率増加モードに設定されているとする。また、再生状態にあるとする。この状態において、一時停止キー１５５が操作されると、制御手段１８は、再生手段１２を制御することにより、ＤＶＤ１１の再生の一時停止を行う。そして後、制御手段１８は、前方向キー１５３（前方スロー再生キーであり、図３では、ＦＦキーとして示されている）が操作されたかどうかを調べる。前方向キー１５３が操作されない場合では、再生の一時停止が継続される（ステップＳ４１，Ｓ４２）。
【００６８】
前方向キー１５３が操作されたことを検出すると、倍率表示手段１９は、テレビ受像機２の画面２０１の所定のエリア２０２に、前方スロー再生におけるスロー倍率の最小値である１／２倍を重畳表示する（ステップＳ４３）。一方、制御手段１８は、再生手段１２に、１／２倍の速度による前方スロー再生を行わせる（ステップＳ４４）。また、０．５秒の計時動作を開始する（ステップＳ４５）。そして後、０．５秒が経過したかどうか、あるいは、前方向キー１５３が操作されたかどうかを調べるループ動作に移行する（ステップＳ４６，Ｓ４７）。
【００６９】
上記ループ動作を行っているとき、前方向キー１５３が操作されることなく、０．５秒が経過したときには、倍率表示手段１９は、エリア２０２に表示していたスロー倍率が、最大の１／３２倍になっていたかどうかを調べた後、エリア２０２に表示していたスロー倍率の値である『１／２倍』を、新しい値である『１／４倍』に変更する（ステップＳ４８，Ｓ４９）。そして後、ステップＳ４５に動作を移行し、０．５秒の計時を開始する。従って、前方向キー１５３を操作しない場合、以後では、０．５秒が経過する毎に、エリア２０２に表示されるスロー倍率は、『１／４倍』から、『１／８倍』、『１／３２倍』と変化する。
【００７０】
そして、エリア２０２にスロー倍率の『１／３２倍』を表示した状態において、０．５秒が経過したときには、動作は、ステップＳ４８からステップＳ５１に移行し、エリア２０２におけるスロー倍率の表示が停止される。その結果、再生手段１２においては、ステップＳ４４において開始された１／２倍のスロー倍率による前方スロー再生が継続されることになる。つまり、再生の一時停止状態において前方向キー１５３を一度だけ操作した場合では、最小のスロー倍率（１／２倍）による前方スロー再生が行われることになる。
【００７１】
一方、１回目に前方向キー１５３を操作した後、０．５秒〜１秒の間に前方向キー１５３を再び操作すると、この操作は、２回の連続した操作のうちの２回目の操作であると判定される。このため、動作は、ステップＳ４６からステップＳ５０に移行する。また、このときでは、エリア２０２には、スロー倍率として『１／４倍』が表示されている。このため、制御手段１８は、ステップＳ５０となったときには、再生手段１２に、１／４倍のスロー倍率による前方スロー再生を行わせる。そして後には、エリア２０２におけるスロー倍率の表示が停止される。その結果、以後では、１／４倍のスロー倍率による前方スロー再生が継続されることになる。
【００７２】
一方、１秒〜１．５秒の間に前方向キー１５３を２回目に操作したときでは、エリア２０２には、スロー倍率として『１／８倍』が表示されているので、制御手段１８は、再生手段１２に、１／８倍のスロー倍率による前方スロー再生を行わせる。また、１．５秒〜２秒の間に前方向キー１５３を２回目に操作したときでは、エリア２０２には、スロー倍率として『１／３２倍』が表示されているので、制御手段１８は、再生手段１２に、１／３２倍のスロー倍率による前方スロー再生を行わせる。
【００７３】
しかし、２秒より多くの時間が経過した後では、動作は、ステップＳ４８からステップＳ５１に移行し、エリア２０２におけるスロー倍率の表示が停止されている。このため、２秒より多くの時間が経過したときに、前方向キー１５３を２回目に操作すると、このときの前方向キー１５３の操作は、前方向キー１５３の２回の連続した操作のうちの２回目の操作であるとは判定されない。
【００７４】
なお、この操作に対応する動作については、本願発明とは直接の関係がないので、詳細な説明を省略するが、この操作を無視する構成（１／２倍のスロー倍率による前方スロー再生を継続する構成）、あるいは、ステップＳ４３に移行させる構成（１／２倍のスロー倍率による前方スロー再生を継続するとともに、エリア２０２にスロー倍率を表示し、以後、０．５秒が経過する毎に、スロー倍率を変更する構成）、等とすることができる。
【００７５】
なお、スロー倍率の変化の方向がスロー倍率増加モードに設定されており、再生の一時停止状態において、後方向キー１５２（後方スロー再生キー）が操作された場合の動作は、上記において説明した動作と略同一となるので、同一部分についての説明を省略し、異なる部分についてのみ動作説明を行う。
【００７６】
ステップＳ４２における判定は、後方向キー１５２（後方スロー再生キー）が操作されたかどうかの判定となる。また、ステップＳ４４における動作は、スロー倍率が１／２倍の後方スロー再生となる。従って、再生の一時停止状態において後方向キー１５２を操作すると、スロー倍率が１／２倍であることがエリア２０２に表示された（ステップＳ４３）後、スロー倍率を１／２倍とする後方スロー再生が行われる（ステップＳ４４）。また、ステップＳ４６においては、後方向キー１５２が操作されたかどうかが調べられる。また、ステップＳ５０における動作は、エリア２０２に表示されたスロー倍率による後方スロー再生となる。従って、２回目に後方向キー１５２を操作するタイミングに対応して、後方スロー再生におけるスロー倍率が変化することになる。
【００７７】
図４は、スロー倍率の変化の方向が、１／３２倍、１／８倍、１／４倍、１／２倍と変化するスロー倍率減少モードに設定された状態において、再生の一時停止状態となっているときに、前方向キー１５３（前方スロー再生キー）を操作した場合の実施形態の主要動作を示すフローチャートである。なお、図４に示すフローチャートは、図３におけるステップＳ４３，Ｓ４４，Ｓ４８，Ｓ４９の動作を、ステップＳ６３，Ｓ６４，Ｓ６８，Ｓ６９に変更したフローチャートとなっている。このため、図３のフローチャートと同一となるステップには、図３における符号と同一符号を付与している。
【００７８】
いま、スロー倍率の変化の方向がスロー倍率減少モードに設定されているとする。また、再生状態にあるとする。この状態において、一時停止キー１５５が操作されると、制御手段１８は、再生手段１２を制御することにより、ＤＶＤ１１の再生の一時停止を行う。そして後、制御手段１８は、前方向キー１５３（前方スロー再生キーであり、図４では、ＦＦキーとして示されている）が操作されたかどうかを調べる。前方向キー１５３が操作されない場合では、再生の一時停止が継続される（ステップＳ４１，Ｓ４２）。
【００７９】
前方向キー１５３が操作されたことを検出すると、倍率表示手段１９は、テレビ受像機２の画面２０１の所定のエリア２０２に、前方スロー再生におけるスロー倍率の最大値である１／３２倍を表示する（ステップＳ６３）。また、制御手段１８は、再生手段１２に、１／３２倍の速度による前方スロー再生を行わせる（ステップＳ６４）。また、０．５秒の計時動作を開始する（ステップＳ４５）。そして後、０．５秒が経過したかどうか、あるいは、前方向キー１５３が操作されたかどうかを調べるループ動作に移行する（ステップＳ４６，Ｓ４７）。
【００８０】
上記ループ動作を行っているとき、前方向キー１５３が操作されることなく、０．５秒が経過したときには、倍率表示手段１９は、エリア２０２に表示していたスロー倍率が、最小の１／２倍になっていたかどうかを調べた後、エリア２０２に表示していたスロー倍率の値である『１／３２倍』を、新しい値である『１／８倍』に変更する（ステップＳ６８，Ｓ６９）。そして後、ステップＳ４５に動作を移行し、０．５秒の計時を開始する。従って、前方向キー１５３を操作しない場合、以後では、０．５秒が経過する毎に、エリア２０２に表示されるスロー倍率は、『１／８倍』から、『１／４倍』、『１／２倍』と変化する。
【００８１】
そして、エリア２０２にスロー倍率の『１／２倍』を表示した状態において、０．５秒が経過したときには、動作は、ステップＳ６８からステップＳ５１に移行し、エリア２０２におけるスロー倍率の表示が停止される。その結果、再生手段１２においては、ステップＳ６４において開始された１／３２倍のスロー倍率による前方スロー再生が継続されることになる。つまり、再生の一時停止状態において前方向キー１５３を一度だけ操作した場合では、最大のスロー倍率（１／３２倍）による前方スロー再生が行われることになる。
【００８２】
一方、１回目に前方向キー１５３を操作した後、０．５秒〜１秒の間に前方向キー１５３を再び操作すると、この操作は、２回の連続した操作のうちの２回目の操作であると判定される。このため、動作は、ステップＳ４６からステップＳ５０に移行する。また、このときでは、エリア２０２には、スロー倍率として『１／８倍』が表示されている。このため、制御手段１８は、ステップＳ５０となったときには、再生手段１２に、１／８倍のスロー倍率による前方スロー再生を行わせる。そして後には、エリア２０２におけるスロー倍率の表示が停止される。その結果、以後では、１／８倍のスロー倍率による前方スロー再生が継続されることになる。
【００８３】
一方、１秒〜１．５秒の間に前方向キー１５３を２回目に操作したときでは、エリア２０２には、スロー倍率として『１／４倍』が表示されているので、制御手段１８は、再生手段１２に、１／４倍のスロー倍率による前方スロー再生を行わせる。また、１．５秒〜２秒の間に前方向キー１５３を２回目に操作したときでは、エリア２０２には、スロー倍率として『１／２倍』が表示されているので、制御手段１８は、再生手段１２に、１／２倍のスロー倍率による前方スロー再生を行わせる。
【００８４】
しかし、２秒より多くの時間が経過した後では、動作は、ステップＳ６８からステップＳ５１に移行し、エリア２０２におけるスロー倍率の表示が停止されている。このため、２秒より多くの時間が経過したときに、前方向キー１５３を２回目に操作すると、このときの前方向キー１５３の操作は、前方向キー１５３の２回の連続した操作のうちの２回目の操作であるとは判定されない。
【００８５】
なお、この操作に対応する動作については、本願発明とは直接の関係がないので、詳細な説明を省略するが、この操作を無視する構成（１／３２倍のスロー倍率による前方スロー再生を継続する構成）、あるいは、ステップＳ４３に移行させる構成（１／３２倍のスロー倍率による前方スロー再生を継続するとともに、エリア２０２にスロー倍率を表示し、以後、０．５秒が経過する毎に、スロー倍率を変更する構成）、等とすることができる。
【００８６】
なお、スロー倍率の変化の方向がスロー倍率減少モードに設定されており、再生の一時停止状態において、後方向キー１５２（後方スロー再生キー）が操作された場合の動作は、上記において説明した動作と略同一となるので、同一部分についての説明を省略し、異なる部分についてのみ動作説明を行う。
【００８７】
ステップＳ４２における判定は、後方向キー１５２（後方スロー再生キー）が操作されたかどうかの判定となる。また、ステップＳ４４における動作は、スロー倍率が１／３２倍の後方スロー再生となる。従って、再生の一時停止状態において後方向キー１５２を操作すると、スロー倍率が１／３２倍であることがエリア２０２に表示された（ステップＳ４３）後、スロー倍率を１／３２倍とする後方スロー再生が行われる（ステップＳ４４）。また、ステップＳ４６においては、後方向キー１５２が操作されたかどうかが調べられる。また、ステップＳ５０における動作は、エリア２０２に表示されたスロー倍率による後方スロー再生となる。従って、２回目に後方向キー１５２を操作するタイミングに対応して、後方スロー再生におけるスロー倍率が変化することになる。
【００８８】
以上説明したように、エリア２０２には、早送り再生や早戻し再生における速度倍率が表示されるので、早送り再生キーや早戻し再生キーを２回目に操作するタイミングを容易に把握することができる。また、速度倍率の変化の方向を、倍率が小さい側から大きい側に変化する方向と、大きい側から小さい側に変化する方向とに切り換えることができる。従って、速度倍率の変化の方向を、利用率の高い速度倍率が早いタイミングにおいて得られる方向に設定すると、短い時間間隔の２回のキースイッチの操作でもって、速度倍率を所望の値に設定することができる。
【００８９】
また、エリア２０２には、前方スロー再生や後方スロー再生におけるスロー倍率が表示されるので、前方スロー再生キーや後方スロー再生キーを２回目に操作するタイミングを容易に把握することができる。また、スロー倍率の変化の方向を、倍率が小さい側から大きい側に変化する方向と、大きい側から小さい側に変化する方向とに切り換えることができる。従って、スロー倍率の変化の方向を、利用率の高いスロー倍率が早いタイミングにおいて得られる方向に設定すると、短い時間間隔の２回のキースイッチの操作でもって、スロー倍率を所望の値に設定することができる。
【００９０】
なお、本発明は上記実施形態に限定されず、デジタル映像信号が記録される記録媒体については、ＤＶＤとした場合について説明したが、その他の記録媒体として、例えば、ハードディスクドライブを記録媒体とする映像信号再生装置、あるいは、メモリ素子を記録媒体とする映像信号再生装置、等の場合にも、同様に適用することができる。
【００９１】
また、映像信号に重畳表示される速度倍率やスロー倍率が変化する時間間隔については、０．５秒とした場合について説明したが、その他の時間間隔（例えば０．４秒あるいは０．６秒、等）とすることができる。
【００９２】
また、速度倍率の種類については、２倍、８倍、２５倍、１００倍の４種とした場合について説明したが、その他の速度倍率の組み合わせとして、例えば、２倍、４倍、８倍、１６倍、３２倍、１２８倍の７種の組み合わせ、等とすることができる。
【００９３】
また、スロー倍率の種類については、１／２倍、１／４倍、１／８倍、１／３２倍の４種とした場合について説明したが、その他の速度倍率の組み合わせとして、例えば、１／２倍、１／４倍、１／８倍、１／１６倍、１／３２倍の５種の組み合わせ、等とすることができる。
【００９４】
【発明の効果】
以上説明したように、本発明では、早送り再生キーあるいは早戻し再生キーを、速度倍率に対応する時間間隔でもって、短く２回連続して押下するのみで、速度倍率が所望の値に設定される。従って、速度倍率を所望の値に設定するに際し、キースイッチが押下されている時間の合計値は短いものとなる。また、早送り再生キーや早戻し再生キーを１回目に操作したときには、時間の経過に対応して値が変化する速度倍率が映像に重畳表示される。また、速度倍率の変化の方向を、利用率の高い速度倍率が早いタイミングにおいて得られる方向に設定すると、短い時間間隔の２回のキースイッチの操作でもって、速度倍率を所望の値に設定することができる。また、１回目のキースイッチの操作によって、早送り再生や早戻し再生に移行する。このため、３回以上の多数回のキースイッチの操作を行うことなく、速度倍率を所望の値に設定可能とするときにも、リモートコントローラの電池の消耗の増加を防止することができ、且つ、２回目にキースイッチを操作するタイミングの把握を容易にすることができ、且つ、短い時間間隔の２回のキースイッチの操作でもって、速度倍率を通常時に多用する値に設定することができ、且つ、１回目のキースイッチの操作によって、早送り再生や早戻し再生に移行させることができる。
【００９５】
また本発明では、早送り再生キーあるいは早戻し再生キーを、速度倍率に対応する時間間隔でもって、２回連続して押下するのみで、速度倍率が所望の値に設定される。従って、速度倍率を所望の値に設定するに際し、キースイッチが押下されている時間の合計値は短いものとなる。このため、３回以上の多数回のキースイッチの操作を行うことなく、速度倍率を所望の値に設定可能とするときにも、リモートコントローラの電池の消耗の増加を防止することができる。
【００９６】
またさらに、早送り再生キーや早戻し再生キーを１回目に操作したときには、時間の経過に対応して値が変化する速度倍率が映像に重畳表示される。このため、２回目にキースイッチを操作するタイミングの把握を容易にすることができる。
【００９７】
またさらに、倍率表示手段により重畳表示され、早送り再生キーまたは早戻し再生キーが操作されたときからの経過時間に対応して変化する速度倍率の変化の方向を、小さい値から大きい値に変化する方向と大きい値から小さい値に変化する方向とに切り換え可能にしている。従って、速度倍率の変化の方向を、利用率の高い速度倍率が早いタイミングにおいて得られる方向に設定すると、短い時間間隔の２回のキースイッチの操作でもって、速度倍率を通常時に多用する値に設定することができる。
【００９８】
また本発明では、前方スロー再生キーや後方スロー再生キーを、スロー倍率に対応する時間間隔でもって、短く２回連続して押下するのみで、スロー倍率が所望の値に設定される。従って、スロー倍率を所望の値に設定するに際し、キースイッチが押下されている時間の合計値は短いものとなる。また、前方スロー再生キーや後方スロー再生キーを１回目に操作したときには、時間の経過に対応して値が変化するスロー倍率が映像に重畳表示される。また、スロー倍率の変化の方向を、利用率の高いスロー倍率が早いタイミングにおいて得られる方向に設定すると、短い時間間隔の２回のキースイッチの操作でもって、スロー倍率を所望の値に設定することができる。また、１回目のキースイッチの操作によって、前方スロー再生や後方スロー再生に移行する。このため、３回以上の多数回のキースイッチの操作を行うことなく、所望のスロー倍率に設定可能とするときにも、リモートコントローラの電池の消耗の増加を防止することができ、且つ、２回目にキースイッチを操作するタイミングの把握を容易にすることができ、且つ、短い時間間隔の２回のキースイッチの操作でもって、スロー倍率を通常時に多用する値に設定することができ、且つ、１回目のキースイッチの操作によって、前方スロー再生や後方スロー再生に移行させることができる。
【００９９】
また本発明では、前方スロー再生キーあるいは後方スロー再生キーを、スロー倍率に対応する時間間隔でもって、短く２回連続して押下するのみで、スロー倍率が所望の値に設定される。従って、スロー倍率を所望の値に設定するに際し、キースイッチが押下されている時間の合計値は短いものとなる。このため、３回以上の多数回のキースイッチの操作を行うことなく、スロー倍率を所望の値に設定可能とするときにも、リモートコントローラの電池の消耗の増加を防止することができる。
【０１００】
またさらに、前方スロー再生キーや後方スロー再生キーを１回目に操作したときには、時間の経過に対応して値が変化するスロー倍率が映像に重畳表示される。このため、２回目にキースイッチを操作するタイミングの把握を容易にすることができる。
【０１０１】
またさらに、倍率表示手段により重畳表示され、前方スロー再生キーまたは後方スロー再生キーが操作されたときからの経過時間に対応して変化するスロー倍率の変化の方向を、小さい値から大きい値に変化する方向と大きい値から小さい値に変化する方向とに切り換え可能にしている。従って、スロー倍率の変化の方向を、利用率の高い速度倍率が早いタイミングにおいて得られる方向に設定すると、短い時間間隔の２回のキースイッチの操作でもって、スロー倍率を通常時に多用する値に設定することができる。
【図面の簡単な説明】
【図１】本発明に係るＤＶＤ再生装置の一実施形態において、速度倍率の変化が倍率増加モードに設定された状態において、通常再生となっているときに、早送り再生キーを操作した場合の主要動作を示すフローチャートである。
【図２】速度倍率の変化が倍率減少モードに設定された状態において、通常再生となっているときに、早送り再生キーを操作した場合の実施形態の主要動作を示すフローチャートである。
【図３】スロー倍率の変化がスロー倍率増加モードに設定された状態において、一時停止状態となっているときに、前方スロー再生キーを操作した場合の実施形態の主要動作を示すフローチャートである。
【図４】スロー倍率の変化がスロー倍率減少モードに設定された状態において、一時停止状態となっているときに、前方スロー再生キーを操作した場合の実施形態の主要動作を示すフローチャートである。
【図５】実施形態の電気的構成を示すブロック線図である。
【図６】リモートコントローラのキースイッチを示す説明図である。
【符号の説明】
１１  ＤＶＤ
１２  再生手段
１５  リモートコントローラ
１８  制御手段
１９  倍率表示手段
１５２  後方向キー（早戻し再生キー、後方スロー再生キー）
１５３  前方向キー（早送り再生キー、前方スロー再生キー）
Ｓ３，Ｓ２３  １回目のキースイッチの操作に対応して速度倍率が重畳表示されるステップ
Ｓ９，Ｓ２９  速度倍率が変更されるステップ
Ｓ１０  早送り再生（早戻し再生）の速度倍率が重畳表示された値に設定されるステップ
Ｓ４３，Ｓ６３  １回目のキースイッチの操作に対応してスロー倍率が重畳表示されるステップ
Ｓ４９，Ｓ６９  スロー倍率が変更されるステップ
Ｓ５０  前方スロー再生（後方スロー再生）の速度倍率が重畳表示された値に設定されるステップ
【図１】
2005057380.tif 000003
【図２】
2005057380.tif 000004
【図３】
2005057380.tif 000005
【図４】
2005057380.tif 000006
【図５】
2005057380.tif 000007
【図６】
2005057380.tif 000008